(57)【要約】      （修正有）【課題】穀類作物の穀稈を刈り取りする際に、畝の長手方向の起伏による隆起部の土が刈刃で削り取られた場合でも、その土がプラットホームの底板に送り込まれることのないコンバインの刈取部を提供する。【解決手段】コンバインの刈取部の刈刃８を、ギャザリングオーガ１を軸支収納するプラットホーム２の底板６に対して、下方への段差部７を介して接合する。これにより、底板と刈刃間の段差部７に土の排出空間９が形成される。刈刃で削りとられた土が底板を汚すことなく、直接土の排出空間から機外（刈取進行方向の後方）へ排出され、きれいな大豆粒を収穫できる。【選択図】図１
0003190528.tif 000002
【実用新案登録請求の範囲】
【請求項１】
ギャザリングオーガが軸支収納されるプラットホームの後方にフィーダハウスが連結され、該フィーダハウス内に搬送コンベアが内装され、前記プラットホームの前方に掻込みリールが配設され、前記プラットホームの底板の前端に刈刃が配設されて成るコンバインの刈取部において、
前記刈刃が、前記プラットホームの底板に対して下方への段差部を介して接合され、該段差部の底板と刈刃間に土の排出空間が形成されて成ることを特徴とするコンバインの刈取部。
【請求項２】
前記底板において、ギャザリングオーガの前方近傍に前記ギャザリングオーガの軸心に平行な軸心で回転駆動される掻込みローラが配設されて成ることを特徴とする請求項１記載のコンバインの刈取部。
【考案の詳細な説明】
【技術分野】
【０００１】
本考案は、主として大豆用コンバインの刈刃で削り取られた土をプラットホーム内に取り込まないようにするコンバインの刈取部に関する。
【背景技術】
【０００２】
従来から提供されている大方の大豆用コンバインの刈取部は、刈刃で切断された穀稈がそのまま連続的にプラットホームの掻込移送ローラ装置に送り込まれる構造であるため、刈刃で削り取られた土が穀稈と一緒に取り込まれ、収穫される大豆を汚す問題を内在していた。
そこで、刈刃と掻込移送ローラ装置との間に横移送装置を設けて土などを機外に排出し、きれいな大豆を収穫しようとする技術が特開２００２−３６００３７号公報（特許文献１を参照）に提案されている。
しかし、前記公開公報の開示された技術では、畝の起伏（穀稈の刈取り方向のうねり）に起因してその隆起部が刈刃で削り取られた土は、その都度穀稈と共に横移送装置に送り込まれることとなり、粘着性を有する土の場合は横移送ベルト上に付着し易く、前記横移送装置全体の汚れとなり、そのとき穀稈が移送路を経由する中で土にまみれ、延いては収穫される大豆を汚損する結果となって十分な効果を期待できないおそれがあった。
【先行技術文献】
【特許文献】
【０００３】
【特許文献１】特開２００２−３６００３７号公報
【考案の概要】
【考案が解決しようとする課題】
【０００４】
本考案は、上記実情に鑑みて、穀類作物の穀稈の刈取り作業において、刈刃で削り取られた土をプラットホームの底板に取り込まないコンバインの刈取部を提供するものである。
【課題を解決するための手段】
【０００５】
本考案のコンバインの刈取部は、ギャザリングオーガが軸支収納されるプラットホームの後方にフィーダハウスが連結され、該フィーダハウス内に搬送コンベアが内装され、前記プラットホームの前方に掻込みリールが配設され、該プラットホームの底板の前端に刈刃が配設されて成るコンバインの刈取部において、
前記刈刃が、前記プラットホームの底板に対して下方への段差部を介して接合され、該段差部の底板と刈刃間に土の排出空間が形成されて成る。
また、前記底板において、ギャザリングオーガの前方近傍に前記ギャザリングオーガの軸心に平行な軸心で回転駆動される掻込みローラが配設されて成る。
【考案の効果】
【０００６】
本考案によれば、穀稈の刈取り方向の起伏に起因して刈刃に削り取られる土が、段差部の土の排出空間から直接機外（刈取進行方向の後方）に排出されるため、プラットホームの底板を汚すことなく、きれいな大豆粒を収穫できる上、土の削り取りによる大豆粒への悪影響を考慮せずに、穀稈の株元ぎりぎりまで刈取り処理できるから、大豆莢の刈り残しのない能率的な刈取処理を達成できる効果がある。
【図面の簡単な説明】
【０００７】
【図１】本考案に係るコンバインの刈取部Ａの要部を破断した説明図である。
【図２】図１のＡ−Ａ矢視図である。
【図３】本考案に係るコンバインの刈取部Ｂの要部を破断した説明図である。
【考案を実施するための形態】
【０００８】
本考案のコンバインの刈取部Ａを、図面を参照して具体的に説明する。
図１の説明図に示すように、ギャザリングオーガ１が回転自在に軸支収納されるプラットホーム２の後方にフィーダハウス３が連結され、該フィーダハウス３の内部に仮想線で示す搬送コンベア４が軸装され、前記プラットホーム２の前方に仮想線で示す掻込みリール５が配設される構造において、前記プラットホーム２には、その底板６の前端から該底板６に対して、下方への段差部７を介して刈刃８を有する公知の切断機構（図外）が接合され、前記段差部７には、図２のＡ−Ａ矢視図に示すように、前記底板６と刈刃８との間に土の排出空間９が形成される。
前記土の排出空間９は、図１の側面視では逆コの字形の補強体１０が要所で選択的にボルト締めされ、適宜に区切られて形成される。
図２で示した土の排出空間９は３条刈の例で示したもので、刈り取られる穀稈の位置には補強体１０がなく、３条刈では図示の補強体１０は土の排出の支障にならないように、適宜な位置が選択される。
【０００９】
次に、本考案のコンバインの刈取部Ａの操作動作を、図面を参照して具体的に説明する。
このようにして成るコンバインの刈取部Ａは、刈取り作業において、掻込みリール５のタイン１１で大豆の穀稈を掻き上げて刈取りする際に、畝の隆起部を刈刃８で削り取った場合でも、削り取られた土がプラットホーム２の底板６には送り込まれず、土の排出空間９から機外へ排出される。
そして、刈り取られた穀稈は、ギャザリングオーガ１のスクリューフィン１２によって左右からフィーダハウス３の搬入口（図示せず）に掻き寄せられ、オーガドラム１３より出入自在なフィンガー１４によって前記搬入口（図示せず）へ押し込まれ、後続のフィーダハウス３の搬送コンベア４によって図外の脱穀装置へ搬送される。
このように、前記刈刃８で削りとられた土がプラットホーム２の底板６を汚すことなく、直接土の排出空間９から機外へ排出されるから、きれいな大豆粒を収穫できる。
【００１０】
次に、本考案のコンバインの刈取部Ｂを、図面を参照して具体的に説明する。
図３の説明図に示すように、ギャザリングオーガ１が回転自在に軸支収納されるプラットホーム２の後方にフィーダハウス３が連結され、該フィーダハウス３の内部に仮想線で示す搬送コンベア４が軸装され、前記プラットホーム２の前方に仮想線で示す掻込みリール５が配設され、前記プラットホーム２には、その底板６の前端から、該底板６に対して下方への段差部７を介して刈刃８を有する公知の切断機構（図外）が接合され、前記段差部７には前記した補強体１０で位置決め自在に補強された土の排出空間９が形成される構造において、さらに、前記プラットホーム２の底板６にはギャザリングオーガ１の前方近傍に該ギャザリングオーガ１と同幅の掻込みローラ１５が配設される。
この掻込みローラ１５は、小径のローラ本体１６と、該ローラ本体１６の外周所要位置に突設される帯状で弾性変形自在な掻込み板１７とから成り、その前方に所要高さのカバー１８が底板６と一体に接合されるが、この掻込みローラ１５は、一例としてオーガ軸１９から入力されるカウンター軸２０を介して適宜に駆動される。
【００１１】
次に、本考案のコンバインの刈取部Ｂの操作動作を、図面を参照して具体的に説明する。
このようにして成るコンバインの刈取部Ｂにおいても、刈取り作業で刈刃８により削り取られた土は、直接土の排出空間９から機外へ排出され、刈刃８で刈り取られた穀稈は掻込みローラ１５でギャザリングオーガ１に送り込まれ、スクリューフィン１２によってフィーダハウス３の搬入口（図示せず）に対向する位置まで掻き寄せられ、オーガドラム１３のフィンガー１４によって前記搬入口（図示せず）に押し込まれ、後続のフィーダハウス３の搬送コンベア４によって図外の脱穀装置へ搬送される。
このとき、ギャザリングオーガ１による穀稈の掻寄せ処理で脱粒した大豆や莢（さや）は、土にまみれない状態で掻込みローラ１５の前方に設けられたカバー１８で受け止められ、プラットホーム２の底板６から機外へ落下することがない。
このように、本考案のコンバインの刈取部は大豆の収量を最大限に確保できる刈取り作業（高刈取りによる刈取り損失を少なくする作業）において、プラットホーム２の底板６を土で汚すことなく、きれいな大豆粒を収穫できる効果を呈する。
【００１２】
本考案のコンバインの刈取部において、プラットホーム２の底板６と刈刃８間の段差部７に形成される土の排出空間９は、前記底板６と刈刃８の受刃を固定する支持板とが補強体１０で接合補強されるが、前記補強体１０は刈り取られる穀稈の位置を除いて取り着けられるものであるから、刈取る条数によって選択的に取着される。
また、図３に示すように、刈刃８とギャザリングオーガ１間でプラットホーム２の底板６に設けられる掻込みローラ１５は、小径で該ギャザリングオーガ１５と軸心方向の長さが同寸のローラ本体１６と、該ローラ本体１６の外周所要位置に突設される帯状で弾性変形自在な掻込み板１７とから成る。
このほか、その前方要所を底板６と一体のカバー１８で被覆する落下防止手段などで提供される。なお、前記コンバインの刈取部Ａにおいても、底板６の前端に適宜な大豆の落下防止手段が考慮される。
【産業上の利用可能性】
【００１３】
本考案は、大豆の収穫のみならず、穀稈の刈取部を有する作業機には広く適用できるものである。
【符号の説明】
【００１４】
１  ギャザリングオーガ
２  プラットホーム
３  フィーダハウス
４  搬送コンベア
５  掻込みリール
６  底板
７  段差部
８  刈刃
９  土の排出空間
１０  補強体
１１  タイン
１２  スクリューフィン
１３  オーガドラム
１４  フィンガー
１５  掻込みローラ
１６  ローラ本体
１７  掻込み板
１８  カバー
１９  オーガ軸
２０  カウンター軸
Ａ、Ｂ  コンバインの刈取部
【図１】
0003190528.tif 000003
【図２】
0003190528.tif 000004
【図３】
0003190528.tif 000005